(57)【特許請求の範囲】
【請求項１】
夫々が一部材からなる揺動用リング一対と複数の棒状部材と股部用の押え布が付加された長方形状のバウンサ用シートと長方形状のラックカウチ兼用シートと長方形状のロッキングポニー用シートを最小限の部品として有し、複数の棒状部材によって構成されバウンサ用シートが張設された枠体に一対の揺動用リングを固着することによってバウンサとして構成され、一対の揺動用リングに渡設された複数の棒状部材のうちの２本にラックカウチ兼用シートを弛緩状態で張設することによってスウィングラックあるいはカウチとして構成され、一対の揺動用リングに渡設された複数の棒状部材のうちの２本にロッキングポニー用シートを張設することによってロッキングポニーとして構成され、複数の棒状部材がバウンサ用の枠体の長辺の長さの長尺棒状部材４本とバウンサ用の枠体の長辺を構成する２本の長尺棒状部材の離間間隔に相当する長さの短尺棒状部材４本であり、バウンサとして構成される際には２本の長尺棒状部材と２本の短尺棒状部材にてバウンサ用の枠体を構成し該枠体を長手方向を斜向立設させてその下部に一対の揺動用リングを装着しさらに補助として一対の揺動用リングの間にスペーサで長さをバウンサ用の枠体の短辺の長さに合わせた短尺棒状部材を１本以上渡設固着させ、スウィングラックとして構成される際には一対の揺動用リングの前部と後部に長尺棒状部材を１本ずつ渡設固着しこの２本の長尺棒状部材の間に長尺棒状部材の長さに略等しい横幅のラックカウチ兼用シートを弛緩状態で張設しさらに補助として一対の揺動用リングの間に長尺棒状部材を１本以上渡設固着させ、カウチとして構成される際には一対の揺動用リングの前部と上部後方に長尺棒状部材を１本ずつ渡設固着しこの２本の長尺棒状部材の間に長尺棒状部材の長さに略等しい横幅のラックカウチ兼用シートを弛緩状態で張設しさらに補助として一対の揺動用リングの間に長尺棒状部材を１本以上渡設固着させ、ロッキングポニーとして構成される際には一対の揺動用リングの前部と後部に夫々短尺棒状部材を１本ずつ渡設固着しこの２本の短尺棒状部材の間に短尺棒状部材の長さの２分の１から４分の１の横幅のロッキングポニー用シートを張設しさらに足掛用部分として一対の揺動用リングの間に短尺棒状部材を１本以上渡設固着させることを特徴とする乳幼児用組立用具。
【請求項２】
一対の揺動用リングの夫々に、揺動制限用ストッパあるいは揺動停止用ストッパあるいは揺動制限用ストッパと揺動停止用ストッパの両者を付加させたことを特徴とする請求項１に記載の乳幼児用組立用具。
【請求項３】
一対の揺動用リングの夫々の下辺に軟質合成樹脂製あるいはゴム製のテープを装着したことを特徴とする請求項１あるいは請求項２に記載の乳幼児用組立用具。
【請求項４】
スウィングラックとして構成される際に、ラックカウチ兼用シートの一対の揺動用リングに近接する２辺にガード用シートを設けたことを特徴とする請求項１あるいは請求項２あるいは請求項３に記載の乳幼児用組立用具。
【発明の詳細な説明】
【技術分野】
【０００１】
本発明は、乳幼児用組立用具に関するものであり、さらに詳しくは、以下に示す構成を有する乳幼児用組立用具に関するものである。
＜構成１＞
夫々が一部材からなる揺動用リング一対と複数の棒状部材と股部用の押え布が付加された長方形状のバウンサ用シートと長方形状のラックカウチ兼用シートと長方形状のロッキングポニー用シートを最小限の部品として有し、複数の棒状部材によって構成されバウンサ用シートが張設された枠体に一対の揺動用リングを固着することによってバウンサとして構成され、一対の揺動用リングに渡設された複数の棒状部材のうちの２本にラックカウチ兼用シートを弛緩状態で張設することによってスウィングラックあるいはカウチとして構成され、一対の揺動用リングに渡設された複数の棒状部材のうちの２本にロッキングポニー用シートを張設することによってロッキングポニーとして構成され、複数の棒状部材がバウンサ用の枠体の長辺の長さの長尺棒状部材４本とバウンサ用の枠体の長辺を構成する２本の長尺棒状部材の離間間隔に相当する長さの短尺棒状部材４本であり、バウンサとして構成される際には２本の長尺棒状部材と２本の短尺棒状部材にてバウンサ用の枠体を構成し該枠体を長手方向を斜向立設させてその下部に一対の揺動用リングを装着しさらに補助として一対の揺動用リングの間にスペーサで長さをバウンサ用の枠体の短辺の長さに合わせた短尺棒状部材を１本以上渡設固着させ、スウィングラックとして構成される際には一対の揺動用リングの前部と後部に長尺棒状部材を１本ずつ渡設固着しこの２本の長尺棒状部材の間に長尺棒状部材の長さに略等しい横幅のラックカウチ兼用シートを弛緩状態で張設しさらに補助として一対の揺動用リングの間に長尺棒状部材を１本以上渡設固着させ、カウチとして構成される際には一対の揺動用リングの前部と上部後方に長尺棒状部材を１本ずつ渡設固着しこの２本の長尺棒状部材の間に長尺棒状部材の長さに略等しい横幅のラックカウチ兼用シートを弛緩状態で張設しさらに補助として一対の揺動用リングの間に長尺棒状部材を１本以上渡設固着させ、ロッキングポニーとして構成される際には一対の揺動用リングの前部と後部に夫々短尺棒状部材を１本ずつ渡設固着しこの２本の短尺棒状部材の間に短尺棒状部材の長さの２分の１から４分の１の横幅のロッキングポニー用シートを張設しさらに足掛用部分として一対の揺動用リングの間に短尺棒状部材を１本以上渡設固着させることを特徴とする乳幼児用組立用具。
＜構成２＞
一対の揺動用リングの夫々に、揺動制限用ストッパあるいは揺動停止用ストッパあるいは揺動制限用ストッパと揺動停止用ストッパの両者を付加させたことを特徴とする構成１に記載の乳幼児用組立用具。
＜構成３＞
一対の揺動用リングの夫々の下辺に軟質合成樹脂製あるいはゴム製のテープを装着したことを特徴とする構成１あるいは構成２に記載の乳幼児用組立用具。
＜構成４＞
スウィングラックとして構成される際に、ラックカウチ兼用シートの一対の揺動用リングに近接する２辺にガード用シートを設けたことを特徴とする構成１あるいは構成２あるいは構成３に記載の乳幼児用組立用具。
【背景技術】
【０００２】
乳幼児が用いる用具は数多いが、それらは、乳幼児用椅子や乳幼児用の木馬玩具（ロッキングポニー）、さらには、最近ではバウンサと呼ばれる乳幼児が自分で揺動させて遊べる椅子なども人気がある。本発明では、こういったさまざまな用具を、シンプルな部品を組み替えて簡単に構成できる乳幼児用組立用具を考えた。
【０００３】
構成を組み替えて形態を変更できる乳幼児用組立用具はいろいろなものが発明・考案されている。下記特許文献１に示す「多機能椅子」は、構成を組み替えることで「食事用椅子」と「揺り椅子」の２形態をとれるとしている。
【０００４】
しかし、現代の消費者は、小数の基本的部材を用いてできるだけ多様な形態の乳幼児用組立用具に組み替えることのできるものを求めており、「食事用椅子」と「揺り椅子」の２形態だけでは消費者に対する訴求力に乏しい。それと、もう一つの問題は、揺り椅子として使用した場合に、揺動部分が２本の弧状部材をボルトナットで連結して組立てる方式であるので、乳幼児が揺らせながら遊ぶうちにボルトナットが緩み、揺動部分が変形する可能性がある。変形したまま用いているとやがてボルトナットが外れて思わぬ事故につながる可能性もある。
【０００５】
次に、下記特許文献２の「机」は、略同一の構成で机にもロッキングポニー（木馬）にも使えるとしている。しかし、やはり機能はこの２種にとどまり、消費者の購買意欲をそそるような魅力には欠けている。また、ロッキングポニーとして使用する際に、乳幼児は囲われた空間内部で遊ぶことになる。
【０００６】
本来、ロッキングポニーは乳幼児がまたがって揺らしながら遊ぶものであり、特に乳幼児の足が自由になって、足で床を蹴ったりして揺れの調整を乳幼児自らが行える点が醍醐味であり、また、名称どおり自分で馬を統御している気持ちにもなれ、その点がロッキングポニーで遊ぶ楽しさの大きな要因となっている。
【０００７】
ところが、下記特許文献２の発明においては、乳幼児は本来机として使用される囲われた空間の中で、床を足で蹴るのではなく、自身の体重の移動のみによって揺らすという方法しか採れない。これは、ロッキングポニーというよりはむしろユリカゴに近い構成であって、乳児状態を終えた幼児にとってはまことに物足りない遊具であるとしかいえない。
【０００８】
さらに、下記特許文献３に示す「金属製家具」は、「食事用椅子」、「写字用椅子」、「ロッキングポニー」、「揺り籠」の３形態を取れるとしている。しかしながら、「食事用椅子」と「写字用椅子」は実際には同一範疇に入る。また、「ロッキングポニー」と「揺り籠」を見ると、ロッキングポニーとしての使用形態において、先の下記特許文献２の発明と同様の問題点が指摘できる。すなわち、乳幼児の足は両側板に囲いこまれていて、窮屈な空間の中で遊ぶことを余儀なくされる。したがって、「ロッキングポニー」という名称は用いていても本来的にはユリカゴであり、そういう点を考えるとこの発明は実際には「椅子」と「揺り籠」の２形態となってしまう。
【０００９】
また、下記特許文献３の発明のもう一つの問題点は、部材数が多くて組立てが複雑になり、また完成品の印象もこみいっていて、シンプルさに欠ける点である。この点は実用的には極めて大切な点であって、消費者の嗜好は常によりシンプルで使いやすく、組立も簡単なものを求める傾向にある。さらには、全体が金属製というのも、乳幼児用には木製品を求める傾向の強い消費者の現代的志向性には合わない。
【００１０】
最後に、下記特許文献４の考案においては、「揺り椅子」と「レーシングカー」の２形態を取れるとしている。しかしながら、「レーシングカー」においては別部材の車輪が必要であり、また部材の大幅な組み換えを行わねばならず、非常に複雑な構成となっている。さらに、揺り椅子として構成した場合には、揺動部分が複数部材をボルトナットで組立てる構成であって、下記特許文献１にて指摘されたのと同様の問題、すなわち揺動使用の継続による変形と分解の問題が指摘される。
【先行技術文献】
【特許文献】
【００１１】
【特許文献１】特開平９−１４０５１４号公報
【特許文献２】特開平８−１９１７３９号公報
【特許文献３】特開平７−１８４７４３号公報
【特許文献４】実用新案登録第３０９１００７号公報
【発明の開示】
【発明が解決しようとする課題】
【００１２】
以上より、発明が解決しようとする課題は次のとおりである。
＜課題１＞
少数の基本的な部品を用いて、できうる限り多様な乳幼児用用具を組立てられるものとしたい。
＜課題２＞
今、若い母親に人気のあるバウンサは様態の一つとして是非取り入れたい。
＜課題３＞
さらに、乳幼児用玩具として昔から不変の人気を保つロッキングポニーも様態の一つとして是非取り入れたい。その際、ロッキングポニー本来の楽しみ方ができるものとすること。具体的には、乳幼児の足が動く空間が囲われた状態になっておらず、乳幼児が窮屈な思いを感じることなく遊べる構成としたい。
＜課題４＞
乳児から幼児になっても使い続けられるスウィングラックやカウチにも構成できるようにしたい。すなわち、構成を組み替えることによって、新生児から５歳くらいの幼児に至るまで、子供の成長に合わせて切れ目なく使用できるものが理想である。
＜課題５＞
揺動部分は強度及び耐久性を確保するため、部材を組み付けて構成するのではなく、一部材でのシンプルな構成としたい。
＜課題６＞
組付け部分をできる限り減らし、経験の乏しい母親の力でも自由に且つ確実に組付けができる構成とする。また、組付けられた結果も強度及び耐久性に問題がない構成とする。
＜課題７＞
適宜ストッパを設けて揺動を制限あるいは停止できるように構成する。
【課題を解決するための手段】
【００１３】
本発明は、上記課題を解決するためになされたものであって、下記に示す解決手段を提供するものである。
＜解決手段１＞
夫々が一部材からなる揺動用リング一対と複数の棒状部材と股部用の押え布が付加された長方形状のバウンサ用シートと長方形状のラックカウチ兼用シートと長方形状のロッキングポニー用シートを最小限の部品として有し、複数の棒状部材によって構成されバウンサ用シートが張設された枠体に一対の揺動用リングを固着することによってバウンサとして構成され、一対の揺動用リングに渡設された複数の棒状部材のうちの２本にラックカウチ兼用シートを弛緩状態で張設することによってスウィングラックあるいはカウチとして構成され、一対の揺動用リングに渡設された複数の棒状部材のうちの２本にロッキングポニー用シートを張設することによってロッキングポニーとして構成され、複数の棒状部材がバウンサ用の枠体の長辺の長さの長尺棒状部材４本とバウンサ用の枠体の長辺を構成する２本の長尺棒状部材の離間間隔に相当する長さの短尺棒状部材４本であり、バウンサとして構成される際には２本の長尺棒状部材と２本の短尺棒状部材にてバウンサ用の枠体を構成し該枠体を長手方向を斜向立設させてその下部に一対の揺動用リングを装着しさらに補助として一対の揺動用リングの間にスペーサで長さをバウンサ用の枠体の短辺の長さに合わせた短尺棒状部材を１本以上渡設固着させ、スウィングラックとして構成される際には一対の揺動用リングの前部と後部に長尺棒状部材を１本ずつ渡設固着しこの２本の長尺棒状部材の間に長尺棒状部材の長さに略等しい横幅のラックカウチ兼用シートを弛緩状態で張設しさらに補助として一対の揺動用リングの間に長尺棒状部材を１本以上渡設固着させ、カウチとして構成される際には一対の揺動用リングの前部と上部後方に長尺棒状部材を１本ずつ渡設固着しこの２本の長尺棒状部材の間に長尺棒状部材の長さに略等しい横幅のラックカウチ兼用シートを弛緩状態で張設しさらに補助として一対の揺動用リングの間に長尺棒状部材を１本以上渡設固着させ、ロッキングポニーとして構成される際には一対の揺動用リングの前部と後部に夫々短尺棒状部材を１本ずつ渡設固着しこの２本の短尺棒状部材の間に短尺棒状部材の長さの２分の１から４分の１の横幅のロッキングポニー用シートを張設しさらに足掛用部分として一対の揺動用リングの間に短尺棒状部材を１本以上渡設固着させることを特徴とする乳幼児用組立用具。
＜解決手段２＞
一対の揺動用リングの夫々に、揺動制限用ストッパあるいは揺動停止用ストッパあるいは揺動制限用ストッパと揺動停止用ストッパの両者を付加させたことを特徴とする解決手段１に記載の乳幼児用組立用具。
＜解決手段３＞
一対の揺動用リングの夫々の下辺に軟質合成樹脂製あるいはゴム製のテープを装着したことを特徴とする解決手段１あるいは解決手段２に記載の乳幼児用組立用具。
＜解決手段４＞
スウィングラックとして構成される際に、ラックカウチ兼用シートの一対の揺動用リングに近接する２辺にガード用シートを設けたことを特徴とする解決手段１あるいは解決手段２あるいは解決手段３に記載の乳幼児用組立用具。
【発明の効果】
【００１４】
本発明の、解決手段１の発明によれば、基本的な部品の組み合わせ方を適宜変更するだけで、簡単に、バウンサ、スウィングラック、カウチ、ロッキングポニーの４種類の乳幼児用用具を組立てることが可能である。また、これにより、新生児から５歳くらいの年令に至るまで、構成を組み替えながら切れ目なく使用することができる。ちなみに、具体的な適応年令と体重は以下のとおりである。すなわち、スウィングラックとしての使用が新生児〜５ヶ月児（体重１０ｋｇ程度まで）、バウンサとしての使用が３ヶ月〜１．５才児（体重１２ｋｇ程度まで）、ロッキングポニーとしての使用が１．５才〜３才児（体重１６ｋｇ程度まで）、カウチとしての使用が２才〜５才児（体重２０ｋｇ程度まで）ということであり、誕生時から幼稚園くらいまで切れ目なく息長く使用できる乳幼児用具としての特徴を持っている。
【００１５】
しかも、夫々の様態において要求される機能を完全に果たすことができる。たとえばロッキングポニーにおいては、揺動用リングの中央に大きな空間があるので、乳幼児は囲われた空間の中でユリカゴ状態で擬似的なロッキングポニーを体験するのではなく、足をフリーにできる本来のロッキングポニーの楽しみ方を味わうことができるのである。
【００１６】
また、揺動部分すなわち揺動用リングが、夫々が一部材から形成されている一対の揺動用リングであり、複数の部材を組み合わせて構成しているものではないので、長期間使用しても揺動用リングが変形したり分解されたりする怖れは全くなく、安定的な使用が保証され、揺動用リングの分解による事故の怖れもない。
【００１７】
本発明の解決手段２の発明によれば、一対の揺動用リングの夫々に、揺動制限用ストッパあるいは揺動停止用ストッパあるいは揺動制限用ストッパと揺動停止用ストッパの両者を付加させるように構成されているので、乳幼児の年令や使用法、使用状況（床の材質や部屋の広さ等）に合わせて揺動を制限したり、あるいは停止させたりすることができ、夫々の構成の用途がきわめて適正に生かされる構成とすることができる。
【００１８】
本発明の解決手段３の発明によれば、一対の揺動用リングの夫々の下辺に軟質合成樹脂製あるいはゴム製のテープが装着されているので、一対の揺動用リングの揺動によって床面が傷ついたりする心配がない。また、揺動の際に音響や振動を発することもないので、集合住宅等においても安心して用いることができる。さらには、乳幼児の使用感もソフトで快適なものとなる。
【００１９】
本発明の解決手段４の発明によれば、スウィングラックとして構成される際に、ラックカウチ用シートの一対の揺動用リングに近接する２辺にガード用シートを設けているので、一対の揺動用リングの空間から乳幼児が墜落する危険が防止される。
【図面の簡単な説明】
【００２０】
【図１】本発明の実施例１のバウンサとして構成した乳幼児用組立用具の右側面図であり、同時に使用状態を説明する説明図である。
【図２】本発明の実施例１のバウンサとして構成した乳幼児用組立用具の左側面図であり、同時に使用状態を説明する説明図である。
【図３】本発明の実施例１のバウンサとして構成した乳幼児用組立用具の平面図である。
【図４】本発明の実施例１のバウンサとして構成した乳幼児用組立用具の正面図である。
【図５】（ａ）本発明の実施例１のバウンサとして構成した乳幼児用組立用具の背面図である。  （ｂ）本発明の実施例１のバウンサとして構成した乳幼児用組立用具の背面図の下部の拡大図で、短尺捧状部材の一本にスペーサを用いた状態を示す。
【図６】本発明の実施例１のバウンサとして構成した乳幼児用組立用具の外観斜視図である。
【図７】（ａ）本発明の実施例１のバウンサとして構成した乳幼児用組立用具の右側面図であり、１対の揺動用リングに揺動停止用ストッパを付加した状態を説明する説明図である。（ｂ）本発明の実施例１のバウンサとして構成した乳幼児用組立用具の左側面図の下部であり、１対の揺動用リングに揺動停止用ストッパを付加した状態を説明する説明図である。
【図８】本発明の実施例１のバウンサとして構成した乳幼児用組立用具の右側面図であり、バウンサ用シートが張設される枠体の傾斜角度を図１の状態よりさらに水平状態に近づけた場合の構成を示す。同時に使用状態を説明する説明図である。
【図９】本発明の実施例１のバウンサとして構成した乳幼児用組立用具の左側面図であり、バウンサ用シートが張設される枠体の傾斜角度を図２の状態よりさらに水平状態に近づけた場合の構成を示す。同時に使用状態を説明する説明図である。
【図１０】（ａ）図８の状態にて後方のストッパを揺動制限用ストッパから揺動停止用ストッパに変更した状態を示す右側面図である。    （ｂ）図９の状態にて後方のストッパを揺動制限用ストッパから揺動停止用ストッパに変更した状態を示す左側面図の要部である。
【図１１】（ａ）本発明の実施例２のスウィングラックとして構成した乳幼児用組立用具の右側面図である。（ｂ）本発明の実施例２のスウィングラックとして構成した乳幼児用組立用具にガード用シートを付加した状態を示す右側面図である。
【図１２】（ａ）本発明の実施例２のスウィングラックとして構成した乳幼児用組立用具の左側面図である。（ｂ）本発明の実施例２のスウィングラックとして構成した乳幼児用組立用具にガード用シートを付加した状態を示す左側面図である。
【図１３】本発明の実施例２のスウィングラックとして構成した乳幼児用組立用具の平面図である。
【図１４】本発明の実施例２のスウィングラックとして構成した乳幼児用組立用具の外観斜視図である。
【図１５】本発明の実施例２のスウィングラックとして構成した乳幼児用組立用具にガード用シートを付加した状態を示す外観斜視図である。
【図１６】（ａ）本発明の実施例３のカウチとして構成した乳幼児用組立用具の右側面図である。（ｂ）本発明の実施例３のカウチとして構成した乳幼児用組立用具の左側面図である。
【図１７】本発明の実施例３のカウチとして構成した乳幼児用組立用具の外観斜視図である。
【図１８】（ａ）本発明の実施例４のロッキングポニーとして構成した乳幼児用組立用具の右側面図であり、同時に使用状態を説明する説明図である。（ｂ）本発明の実施例４のロッキングポニーとして構成した乳幼児用組立用具の左側面図であり、同時に使用状態を説明する説明図である。
【図１９】本発明の実施例４のロッキングポニーとして構成した乳幼児用組立用具の平面図である。
【図２０】（ａ）本発明の乳幼児用組立用具の基本的な部品である一対の揺動用リングの一方の右側面図である。    （ｂ）本発明の乳幼児用組立用具の基本的な部品である一対の揺動用リングのもう一方の右側面図である。
【図２１】（ａ）本発明の乳幼児用組立用具の基本的な部品である長尺棒状部材のうちの１本の外観斜視図である。    （ｂ）本発明の乳幼児用組立用具の基本的な部品である長尺棒状部材のうちの１本の外観斜視図である。    （ｃ）本発明の乳幼児用組立用具の基本的な部品である長尺棒状部材のうちの１本の外観斜視図である。    （ｄ）本発明の乳幼児用組立用具の基本的な部品である長尺棒状部材のうちの１本の外観斜視図である。    （ｅ）図２１ａに示す長尺棒状部材の右端の水平断面構成を説明するための説明図である。    （ｆ）図２１ｃに示す長尺棒状部材の右端の水平断面構成を説明するための説明図である。    （ｇ）図２１ａに示す長尺棒状部材の中間部の水平断面構成を説明するための説明図である。    （ｈ）図２１ａに示す構成において用いられているナット部材の水平断面構成を説明するための説明図である。
【図２２】（ａ）本発明の実施例１〜４の乳幼児用組立用具の連結部分に用いられる連結方法の一例を説明するための説明図である。    （ｂ）本発明の実施例１〜４の乳幼児用組立用具の連結部分に用いられる連結方法の一例を説明するための説明図である。
【図２３】（ａ）本発明の乳幼児用組立用具の基本的な部品である短尺棒状部材のうちの１本の外観斜視図である。    （ｂ）本発明の乳幼児用組立用具の基本的な部品である短尺棒状部材のうちの１本の外観斜視図である。    （ｃ）本発明の乳幼児用組立用具の基本的な部品である短尺棒状部材のうちの１本の外観斜視図である。    （ｄ）本発明の乳幼児用組立用具の基本的な部品である短尺棒状部材のうちの１本の外観斜視図である。    （ｅ）図２３ａに示す短尺棒状部材の右端の水平断面構成を説明するための説明図である。    （ｆ）本発明の実施例１の乳幼児用組立用具に用いられるスペーサの外観斜視図である。    （ｇ）図２３ｆに示すスペーサの水平断面構成を説明するための説明図である。
【図２４】（ａ）本発明の乳幼児用組立用具の基本的な部品である１対の揺動用リングの揺動を停止するために用いられる揺動停止用ストッパの一例の構成を説明するための説明図である。（ｂ）本発明の乳幼児用組立用具の基本的な部品である１対の揺動用リングの揺動を停止するために用いられる揺動停止用ストッパの他の一例の構成を説明するための説明図である。    （ｃ）本発明の乳幼児用組立用具の基本的な部品である１対の揺動用リングの揺動を制限するために用いられる揺動制限用ストッパの一例の構成を説明するための説明図である。    （ｄ）本発明の乳幼児用組立用具の基本的な部品である１対の揺動用リングの揺動を制限するために用いられる揺動制限用ストッパの他の一例の構成を説明するための説明図である。
【図２５】（ａ）本発明の乳幼児用組立用具の一対の揺動用リングに揺動制限用ストッパを装着する方法を説明する説明図である。    （ｂ）本発明の乳幼児用組立用具の一対の揺動用リングに揺動停止用ストッパを装着する方法を説明する説明図である。
【図２６】（ａ）本発明の乳幼児用組立用具の一対の揺動用リングに用いられる揺動制限用ストッパ及び揺動停止用ストッパの先端部分に装着されるボール部材の外観を説明する説明図である。    （ｂ）本発明の乳幼児用組立用具の一対の揺動用リングの夫々の下辺に貼着されるテープの構成を説明するための説明図である。
【図２７】（ａ）本発明の実施例１のバウンサとして構成した乳幼児用組立用具において、長尺捧状部材２本と短尺捧状部材２本を用いて組立てた枠体の外観斜視図である。    （ｂ）本発明の実施例１のバウンサとして構成した乳幼児用組立用具のバウンサ用シート並びに押え布の外観斜視図である。
【図２８】（ａ）本発明の実施例２のスウィングラックあるいは実施例３のカウチを構成するラックカウチ兼用シートの表面の外観斜視図である。    （ｂ）本発明の実施例２のスウィングラックあるいは実施例３のカウチを構成するラックカウチ兼用シートの裏面の外観斜視図である。
【図２９】（ａ）本発明の実施例２のスウィングラックを構成する際に、乳幼児の落下を防止するために用いられるガード用シートの一枚の構成を説明する説明図である。（ｂ）本発明の実施例２のスウィングラックを構成する際に、乳幼児の落下を防止するために用いられるガード用シートの他の一枚の構成を説明する説明図である。
【図３０】（ａ）本発明の実施例２のスウィングラックを構成する際に、乳幼児の落下を防止するために用いられるガード用シートの一枚をラックカウチ兼用シートの裏面に装着する方法を説明する説明図である。（ｂ）本発明の実施例２のスウィングラックを構成する際に、乳幼児の落下を防止するために用いられるガード用シートの他の一枚をラックカウチ兼用シートの裏面に装着する方法を説明する説明図である。
【図３１】（ａ）本発明の実施例４のロッキングポニーを構成するロッキングポニー用シートの外観斜視図である。
【発明を実施するための最良の形態】
【００２１】
本発明を実施するための最良の形態を、以下に、図面を参照しながら詳細に説明する。
【実施例１】
【００２２】
＜実施例１の構成＞
本発明の実施例１の乳幼児用組立用具Ｂは、バウンサとしての機能を有する様態として組立てられるものであり、図２０に示す一対の揺動用リングＲ１、Ｒ２と図２１ａ、図２１ｂに示す長尺棒状部材１１、１２、図２３ａ〜図２３ｃに示す短尺棒状部材２１、２２、２３、及び図２７ｂに示すバウンサ用シート３１、押え布３２、スペーサＳＰを主たる構成部品として構成されている。適応年令と体重は、３ヶ月〜１．５才、体重１２ｋｇ程度までである。
【００２３】
揺動用リングＲ１、Ｒ２は同一の構成であり、リング部Ｒ１０、Ｒ２０が平板状であるリングである。材質は、木製、合成樹脂製、金属製などが考えられるが、乳幼児用用具であることを考えると最適は木製、次に合成樹脂製であり、金属製の場合には塗装等に工夫が必要と思われる。図２０ａ、図２０ｂに見るように、全体の形状は側面視で上部に凹部を有するソラマメ状であって、リング部Ｒ１０、Ｒ２０は一体として構成され、中央部は大きな空間Ｓ１、Ｓ２になっている。
【００２４】
下部（下辺）Ｒ１１、Ｒ２１が床面に接して揺動する部分なのでこの部分は緩やかな弧状になっているが、上部Ｒ１２、Ｒ２２は上に凹（下に凸）の形状となっている。この上に凹（下に凸）の形状は、組上げたときに上部Ｒ１２、Ｒ２２がちょうど乳幼児ＢＢの手に近い位置にくるので（図１参照）、乳幼児ＢＢが握ったりつかまったりしやすく、さらには、乳幼児ＢＢにミルクなどを飲ませる際にも邪魔にならないという意味もある。また、揺動用リングＲ１、Ｒ２の全体形状は、側面視にて上下方向よりも水平方向の方が長い長円形であって、前部Ｒ１３、Ｒ２３、及び後部Ｒ１４、Ｒ２４は円形に近い弧状として形成されている。
【００２５】
揺動用リングＲ１の下部Ｒ１１には、図２０ａに示すように、中央に孔Ｈ１１Ａが貫設され、前方に孔Ｈ１１Ｂが、後方に孔Ｈ１１Ｃが貫設されている。また、孔Ｈ１１Ｂのさらに前方には斜向並列して孔ｈ１１、ｈ１２、さらに孔ｈ１３、ｈ１４が貫設され、孔Ｈ１１Ｃのさらに後方には斜向並列して孔ｈ１５、ｈ１６、さらに孔ｈ１７、ｈ１８が貫設されている。ここで、大文字Ｈで表示された孔は部材を組付けるための構成用の孔であり、小文字ｈで表示された孔は揺動制限用ストッパＳＳあるいは揺動停止用ストッパＬＳを装着するための孔である。大文字Ｈで表示された孔のサイズと小文字ｈで表示された孔のサイズは同一であっても良いし異なっていても良いが、同一にしておけば同一のボルトが使用できるという点で便利である。
【００２６】
揺動用リングＲ１の上部Ｒ１２には、図２０ａに示すように、中央に孔Ｈ１２Ａが貫設され、そのやや後方に孔Ｈ１２Ｂが貫設されている。また、前部Ｒ１３の中央には孔Ｈ１３Ａが貫設され、そのやや下方に孔Ｈ１３Ｂが貫設されている。さらに、後部Ｒ１４の中央には孔Ｈ１４が貫設されている。
【００２７】
揺動用リングＲ２の下部Ｒ２１には、図２０ｂに示すように、中央に孔Ｈ２１Ａが貫設され、前方に孔Ｈ２１Ｂが、後方に孔Ｈ２１Ｃが貫設されている。また、孔Ｈ２１Ｂのさらに前方には斜向並列して孔ｈ２１、ｈ２２、さらに孔ｈ２３、ｈ２４が貫設され、孔Ｈ２１Ｃのさらに後方には斜向並列して孔ｈ２５、ｈ２６、さらに孔ｈ２７、ｈ２８が貫設されている。揺動用リングＲ２に関しても、大文字Ｈで表示された孔は部材を組付けるための構成用の孔であり、小文字ｈで表示された孔は揺動制限用ストッパＳＳあるいは揺動停止用ストッパＬＳを装着するための孔である。また、大文字Ｈで表示された孔のサイズと小文字ｈで表示された孔のサイズは同一であっても良いし異なっていても良い点も揺動用リングＲ１と同様である。
【００２８】
揺動用リングＲ２の上部Ｒ２２には、図２０ｂに示すように、中央に孔Ｈ２２Ａが貫設され、そのやや後方に孔Ｈ２２Ｂが貫設されている。また、前部Ｒ２３の中央には孔Ｈ２３Ａが貫設され、そのやや下方に孔Ｈ２３Ｂが貫設されている。さらに、後部Ｒ２４の中央には孔Ｈ２４が貫設されている。
【００２９】
以下、長尺棒状部材１１、１２の説明を行う。図２１には長尺棒状部材として１１〜１４の４本が図示されているが、このうち実施例１のバウンサＢにおいて使用するのは長尺棒状部材１１、１２であるので、ここではまず長尺棒状部材１１、１２の説明を行い、長尺棒状部材１３、１４については後の適切な箇所にて説明を行うこととする。
【００３０】
長尺棒状部材１１は、図２１ａに示すように円柱形状で、材質に関しては揺動用リングＲ１、Ｒ２と同様、木製、合成樹脂製、金属製などが考えられるが、乳幼児用用具であることを考えると最適は木製、次に合成樹脂製であり、金属製の場合には塗装等に工夫が必要と思われる。長尺棒状部材１１の右端部には孔１１ａが長手方向に穿設され、これに直交するように孔１１ｄが径方向に貫設されている。左端部には孔１１ｂが長手方向に穿設され、これに直交するように孔１１ｅが径方向に貫設されている。孔１１ｄ、１１ｅは孔１１ａ、１１ｂよりやや直径が大に構成されている。孔１１ｄ、１１ｅは後述の丸ナットＲＮを嵌設させるための孔である。中央部やや左方には孔１１ｃ１が径方向に穿設され、中央部やや右方には孔１１ｃ２が径方向に穿設されている。孔１１ｃ１、孔１１ｃ２には、図２１ｇ、図２１ｈに示すように鬼目ナットＯＮが嵌設固着されている。
【００３１】
長尺棒状部材１２は、図２１ｂに示すように円柱形状で、材質に関しては長尺棒状部材１１と同様である。長尺棒状部材１２の右端部には孔１２ａが長手方向に穿設され、これに直交するように孔１２ｄが径方向に貫設されている。左端部には孔１２ｂが長手方向に穿設され、これに直交するように孔１２ｅが径方向に貫設されている。孔１２ｄ、１２ｅは孔１２ａ、１２ｂよりやや直径が大に構成されている。孔１２ｄ、１２ｅは後述の丸ナットＲＮを嵌設させるための孔である。中央部やや左方には孔１２ｃ１が径方向に穿設され、中央部やや右方には孔１２ｃ２が径方向に穿設されている。孔１２ｃ１、１２ｃ２には、長尺棒状部材１１の孔１１ｃ１、１１ｃ２と同様に鬼目ナットＯＮが嵌設固着されている。
【００３２】
次に、短尺棒状部材２１〜２４の説明を行う。実施例１のバウンサＢにおいて使用されるのは短尺棒状部材２１〜２３の３本であるが、短尺棒状部材２１〜２４は同一の構成であるので、すべての説明をここにて行う。
【００３３】
短尺棒状部材２１〜２４は図２３ａ〜図２３ｄに示すように円柱形状で、材質は長尺棒状部材１１と同様であり、長さは長尺棒状部材１１の半分よりやや短い程度である。また、直径は長尺棒状部材１１、１２の直径に等しい。短尺棒状部材２１の右端部には孔２１ａが長手方向に穿設され、これに直交するように孔２１ｃが径方向に穿設されている。図２３ｅに示すように、孔２１ｃは貫設されていない。左端部には孔２１ｂが長手方向に穿設され、これに直交するように孔２１ｄが径方向に穿設されている。孔２１ｄもやはり貫設されていない。また、孔２１ｃ、２１ｄは孔２１ａ、２１ｂよりやや直径が大に構成されている。孔２１ｃ、２１ｄは後述の丸ナットＲＮを嵌設させるための構成である。
【００３４】
短尺棒状部材２２の右端部には孔２２ａが長手方向に穿設され、これに直交するように孔２２ｃが径方向に穿設されている。左端部には孔２２ｂが長手方向に穿設され、これに直交するように孔２２ｄが径方向に穿設されている。孔２２ｃ、２２ｄは貫設されておらず、また、孔２２ａ、２２ｂよりやや直径が大に構成されている。孔２２ｃ、２２ｄは後述の丸ナットＲＮを嵌設させるための構成である。
【００３５】
短尺棒状部材２３の右端部には孔２３ａが長手方向に穿設され、これに直交するように孔２３ｃが径方向に穿設されている。左端部には孔２３ｂが長手方向に穿設され、これに直交するように孔２３ｄが径方向に穿設されている。孔２３ｃ、２３ｄは貫設されておらず、また、孔２３ａ、２３ｂよりやや直径が大に構成されている。孔２３ｃ、２３ｄは後述の丸ナットＲＮを嵌設させるための構成である。
【００３６】
短尺棒状部材２４の右端部には孔２４ａが長手方向に穿設され、これに直交するように孔２４ｃが径方向に穿設されている。左端部には孔２４ｂが長手方向に穿設され、これに直交するように孔２４ｄが径方向に穿設されている。孔２４ｃ、２４ｄは貫設されておらず、また、孔２４ａ、２４ｂよりやや直径が大に構成されている。孔２４ｃ、２４ｄは後述の丸ナットＲＮを嵌設させるための構成である。
【００３７】
バウンサ用シート３１は図２７ｂに示すように長方形状で、中央やや下部にマチによって段部３１ａが設けてあり、その上部が乳幼児の胴体部分を収容するための凹部３１ｂとして形成されている。また、上端部が筒状の挿通部３１ｃとして、下端部も筒状の挿通部３１ｄとして形成され、右端部は筒状の挿通部３１ｅとして、左端部は筒状の挿通部３１ｆとして、夫々形成されている。
【００３８】
また、挿通部３１ｅには中央部分にスリットｂｈ１、ｂｈ２が穿設され、挿通部３１ｆには中央部分にスリットｂｈ３、ｂｈ４が穿設されている。さらに、挿通部３１ｅの中央部には紐状部分の先端にボタンを固着させた係止体ｓｔ１が縫着され、挿通部３１ｆの中央部には紐状部分の先端にボタンを固着させた係止体ｓｔ２が縫着され、段部３１ａの前部中央には乳幼児の股部を押えるための押え布３２が縫着されている。
【００３９】
押え布３２はバウンサ用シート３１に逢着線３２ａによって逢着されている。図２７ｂに示すように２辺が円弧状となった３角形状で、左右２つの端部に夫々ボタン孔３２ｂ（右端）、３２ｃ（左端）が穿設されている。押え布３２は、ボタン孔３２ｂにバウンサ用シート３１の係止体ｓｔ１のボタン部分を係止し、ボタン孔３２ｃにバウンサ用シート３１の係止体ｓｔ２のボタン部分を係止しすることによって全体をバウンサ用シート３１の前面に係止して用いられる。なお、バウンサ用シート３１、押え布３２は、丈夫なキャンバス地の布などで形成されるのが相応しい。
【００４０】
次に、揺動制限用ストッパＳＳの構成を説明する。揺動制限用ストッパＳＳは図２４ｃ、図２４ｄに示すように断面形状が円形の３分の１程度を切除した半月形状の捧体で、材質は長尺棒状部材１１と同様である。側面の平面状の部分の上部に孔Ｓｈ１、Ｓｈ２が貫設され、孔Ｓｈ１に直交するように孔Ｓｈ３が、孔Ｓｈ２に直交するように孔Ｓｈ４が穿設されている。孔Ｓｈ３、Ｓｈ４は貫設されておらず、孔Ｓｈ１、Ｓｈ２よりやや直径が大に構成されている。孔Ｓｈ３、Ｓｈ４は後述の丸ナットＲＮを嵌設させるための構成である。
【００４１】
揺動制限用ストッパＳＳには、図２４ｃに示すＳＳａ、図２４ｄに示すＳＳｂの２種類がある。捧体の平面部分を正面とするならば、揺動制限用ストッパＳＳａは正面に孔Ｓｈ１、Ｓｈ２が穿設され、左側面に孔Ｓｈ３、Ｓｈ４が穿設されている。一方、揺動制限用ストッパＳＳｂは正面に孔Ｓｈ１、Ｓｈ２が穿設され、右側面に孔Ｓｈ３、Ｓｈ４が穿設されている。
【００４２】
揺動制限用ストッパＳＳに上記２種類が生じるのは、揺動制限用ストッパＳＳを揺動用リングＲ１、Ｒ２に装着する際の便宜的な理由によるものである。図２５ａに示すように、揺動制限用ストッパＳＳを揺動用リングＲ１、Ｒ２に装着する場合には、揺動用リングＲ１、Ｒ２の上下を転倒させて行うのが作業的に便利であるが、この際、丸ナットＲＮが嵌設される孔Ｓｈ３、Ｓｈ４は常に上方に来るようにしたい。もし孔Ｓｈ３、Ｓｈ４が下方に来ると、丸ナットＲＮは重力で孔Ｓｈ３、Ｓｈ４から脱落し易く、作業的には円滑さを欠く結果となる。
【００４３】
このような配慮から、揺動制限用ストッパＳＳとして、上記ＳＳａとＳＳｂの２種類を用意することとなった。すなわち、図２５ａのように揺動制限用ストッパＳＳａを揺動用リングＲ１の孔ｈ１５、ｈ１６及び揺動用リングＲ２の孔ｈ２１、ｈ２２に装着し、揺動制限用ストッパＳＳｂを揺動用リングＲ１の孔ｈ１１、ｈ１２及び揺動用リングＲ２の孔ｈ２５、ｈ２６に装着することによって、揺動制限用ストッパＳＳａ、揺動制限用ストッパＳＳｂのいずれにおいても孔Ｓｈ３、Ｓｈ４は常に上方に向くので、極めて作業効率が良い。
【００４４】
上記のような理由から、揺動制限用ストッパＳＳとして、上記ＳＳａとＳＳｂの２種類を用意することとなった次第である。しかしながら、以後の説明において常に揺動制限用ストッパＳＳａと揺動制限用ストッパＳＳｂを区別して記載すると徒に煩雑になるので、以後の説明においては、明細書に関しても図面に関しても揺動制限用ストッパＳＳａと揺動制限用ストッパＳＳｂの区別は行わず、両者共に揺動制限用ストッパＳＳとして記載することとする。なお、揺動制限用ストッパＳＳは、揺動用リングＲ１においては必ず孔ｈ１１、ｈ１２さらに孔ｈ１５、ｈ１６を用いて装着され、孔ｈ１３、ｈ１４、ｈ１７、ｈ１８が用いられることはない。同様、揺動用リングＲ２においては必ず孔ｈ２１、ｈ２２さらに孔ｈ２５、ｈ２６を用いて装着され、孔ｈ２３、ｈ２４、ｈ２７、ｈ２８が用いられることはない。
【００４５】
次に、揺動停止用ストッパＬＳの構成を説明する。揺動停止用ストッパＬＳは図２４ａ、図２４ｂに示すように断面形状が円形の３分の１程度を切除した半月形状の捧体で、その長さは揺動制限用ストッパＳＳより長く構成されている。材質は長尺棒状部材１１と同様である。側面の平面状の部分の上部に孔Ｓｈ１、Ｓｈ２が貫設され、孔Ｓｈ１に直交するように孔Ｓｈ３が、孔Ｓｈ２に直交するように孔Ｓｈ４が穿設されている。孔Ｓｈ３、Ｓｈ４は貫設されておらず、孔Ｓｈ１、Ｓｈ２よりやや直径が大に構成されている。孔Ｓｈ３、Ｓｈ４は後述の丸ナットＲＮを嵌設させるための構成である。
【００４６】
揺動停止用ストッパＬＳには、図２４ａに示すLＳａ、図２４ｂに示すＬＳｂの２種類がある。捧体の平面部分を正面とするならば、揺動停止用ストッパＬＳａは正面に孔Ｓｈ１、Ｓｈ２が穿設され、左側面に孔Ｓｈ３、Ｓｈ４が穿設されている。一方、揺動停止用ストッパＬＳｂは正面に孔Ｓｈ１、Ｓｈ２が穿設され、右側面に孔Ｓｈ３、Ｓｈ４が穿設されている。
【００４７】
揺動停止用ストッパＬＳに上記２種類が生じるのは、揺動制限用ストッパＳＳ同様、揺動用リングＲ１、Ｒ２に装着する際の便宜的な理由によるものである。図２５ｂに示すように、揺動停止用ストッパＬＳを揺動用リングＲ１、Ｒ２に装着する場合には、揺動制限用ストッパＳＳ同様揺動用リングＲ１、Ｒ２の上下を転倒させて行うが、この際、やはり丸ナットＲＮが嵌設される孔Ｓｈ３、Ｓｈ４は常に上方に来るようにしたい。
【００４８】
このような配慮から、揺動停止用ストッパＬＳとして、上記ＬＳａとＬＳｂの２種類を用意することとなった。すなわち、図２５ｂのように揺動停止用ストッパＬＳａを揺動用リングＲ１の孔ｈ１７、ｈ１８及び揺動用リングＲ２の孔ｈ２３、ｈ２４に装着し、揺動停止用ストッパＬＳｂを揺動用リングＲ１の孔ｈ１３、ｈ１４及び揺動用リングＲ２の孔ｈ２７、ｈ２８に装着することによって、揺動停止用ストッパＬＳａ、揺動停止用ストッパＬＳｂのいずれにおいても孔Ｓｈ３、Ｓｈ４は常に上方に向くので、極めて作業効率が良い。
【００４９】
上記のような理由から、揺動制限用ストッパＬＳとして、上記ＬＳａとＬＳｂの２種類を用意することとなった次第である。しかしながら、揺動制限用ストッパＳＳの場合と同様、以後の説明において常に揺動停止用ストッパＬＳａと揺動停止用ストッパＬＳｂを区別して記載すると徒に煩雑になるので、以後の説明においては、明細書に関しても図面に関しても揺動停止用ストッパＬＳａと揺動停止用ストッパＬＳｂの区別は行わず、両者共に揺動停止用ストッパＬＳとして記載することとする。なお、揺動停止用ストッパＬＳは、揺動用リングＲ１においては必ず孔ｈ１３、ｈ１４さらに孔ｈ１７、ｈ１８を用いて装着され、孔ｈ１１、ｈ１２、ｈ１５、ｈ１６が用いられることはない。同様、揺動用リングＲ２においては必ず孔ｈ２３、ｈ２４さらに孔ｈ２７、ｈ２８を用いて装着され、孔ｈ２１、ｈ２２、ｈ２５、ｈ２６が用いられることはない。
【００５０】
揺動制限用ストッパＳＳ、揺動停止用ストッパＬＳの下部には球状のボール部材Ｑが装着されている。ボール部材Ｑは図２６ａに示すような球体状で、上面には円筒形状の孔Ｑｈが穿設されている。孔Ｑｈに挿入される揺動制限用ストッパＳＳ、揺動停止用ストッパＬＳの捧体の断面形状は上記のように半月形状あるいは蒲鉾形状であるが、ボール部材Ｑの材質は二トリルゴムあるいは相当品なので、揺動制限用ストッパＳＳ、揺動停止用ストッパＬＳの捧体の先端部を押し込むことによって孔Ｑｈの形状は捧体の形状に沿うように変形して安定する。
【００５１】
次に、一対の揺動用リングＲ１、Ｒ２の夫々の下部Ｒ１１，Ｒ２１に貼着されるテープＴの構成を説明する。テープＴは図２６ｂに示すように２層構成で、下層ＴａはＥＶＡ樹脂（エチレン−酢酸ビニル共重合樹脂）あるいは相当品からなり下面には摩擦力を高めるための複数の凹凸が刻設されている。上層Ｔｂは両面粘着テープよりなる。なお、図２６ｂ以外の図面にては下面の複数の凹凸は省略して表示している。
【００５２】
次に、スペーサＳＰの構成を説明する。スペーサＳＰは実施例１の乳幼児用組立用具Ｂにのみ用いられる。図２３ｆに示すように短い円筒形状で、直径も長さも短尺棒状部材２１〜２４の直径に等しい。中心には貫通孔ＳＰｈが穿設されている。
【００５３】
実施例１の乳幼児用組立用具Ｂの組付構成を述べる（図２７参照）。まず、長尺捧状部材１１をバウンサ用シート３１の挿通部３１ｅに挿通させ、長尺捧状部材１２をバウンサ用シート３１の挿通部３１ｆに挿通させ、さらに短尺捧状部材２１を挿通部３１ｃに、短尺捧状部材２２を挿通部３１ｄに夫々挿通させ、さらに、長尺捧状部材１１、１２と短尺捧状部材２１、２２を図２７ａのように組付けて枠体Ｆを形成する。すなわち長尺捧状部材１１の上端（右端）と長尺捧状部材１２の上端（右端）に短尺捧状部材２１を渡設螺着することにより、バウンサ用シート３１が張設された枠体Ｆを得る。この際、枠体Ｆの下端部分においては、短尺捧状部材２２は長尺捧状部材１１、１２には未だ螺着されていない状態である。
【００５４】
部材の螺着にあたっては、図２２に示す方法、すなわち、丸ナットＲＮとボルトＢＴを用いて平板Ｈと捧体ＢＵを連結固着する方法を用いる。以下、この方法を図２２によって説明する。まず、捧体ＢＵに径方向の孔ＢＨ１と軸方向の孔ＢＨ２が途中でクロスするように穿設し、孔ＢＨ１に丸ナットＲＮを嵌設する。その際、丸ナットＲＮの胴部に丸ナットＲＮの径方向に穿設されたネジ孔ＮＨが捧体ＢＵの軸方向の孔ＢＨ２と連続するように配置する。そして、平板Ｈの円孔ＨＨと孔ＢＨ２にボルトＢＴの軸部を挿通し、さらに丸ナットＲＮのネジ孔ＮＨにボルトＢＴの軸部を螺入して締め付ける。
【００５５】
このようにすることにより、平板Ｈに穿設される円孔ＨＨと捧体ＢＵに穿設される孔ＢＨ１、ＢＨ２はいずれもネジ孔ではなく単なる円孔で良いので、例えば平板Ｈや捧体ＢＵが木製等の柔らかい材質の場合にても、何度も螺入、螺脱を繰り返しても平板Ｈや捧体ＢＵが損傷されることはなく、螺着された場合の強度が低下する怖れもない。本発明は分解と組み替えが自由であるという設定なので、このような堅固で耐久性のある螺着状態を実現する構成を用いることが推奨される。したがって、実施例１〜４に至るまで、すべては上記の丸ナットＲＮとボルトＢＴを用いることを前提として記載するものであり、単に「螺着」と記載されていても丸ナットＲＮとボルトＢＴを用いる螺着方法を採るものであることを前提とする。なお、この螺着方法は公知のものである。また、多くの図面では丸ナットＲＮ用の孔は煩瑣になるので、必要箇所以外は表示を省略している。
【００５６】
次に、図２０ａの揺動用リングＲ１の孔Ｈ１２Ａと長尺捧状部材１１の孔１１ｃ１を、ボルトＢＴで螺着する。この際、ボルトＢＴはバウンサ用シート３１のスリットｂｈ１を貫通させる。次に、孔Ｈ１１Ｂと長尺捧状部材１１の孔１１ｅ、短尺捧状部材２２の孔２２ａをボルトＢＴで螺着する。さらに図２０ｂの揺動用リングＲ２の孔Ｈ２２Ａと長尺捧状部材１２の孔１２ｃ１をボルトＢＴで螺着する。この際、ボルトＢＴはバウンサ用シート３１のスリットｂｈ３を貫通させる。次に、孔Ｈ２１Ｂと長尺捧状部材１２の孔１２ｅ、短尺捧状部材２２の孔２２ｂをボルトＢＴで螺着する。そしてさらに揺動用リングＲ１の孔Ｈ１１Ｃと短尺捧状部材２３の孔２３ａをボルトＢＴで螺着し、揺動用リングＲ２の孔Ｈ２１Ｃと短尺捧状部材２３の孔２３ｂをボルトＢＴで螺着する。この際、短尺捧状部材２３の長さが長尺捧状部材１１、１２の直径分だけ不足するので、短尺捧状部材２３の両端にスペーサＳＰ、ＳＰを介して長さを調節する。
【００５７】
次に、バウンサ用シート３１の係止体ｓｔ１のボタンを押え布３２のボタン孔３２ｂに係止させ、バウンサ用シート３１の係止体ｓｔ２のボタンを押え布３２のボタン孔３２ｃに係止させる。
【００５８】
最後に、揺動用リングＲ１、Ｒ２に揺動制限用ストッパＳＳ、ＳＳ、……とテープＴ、Ｔを装着する。揺動制限用ストッパＳＳはＳＳａを２個、ＳＳｂを２個の合計４個用意し、図２５ａにおいて説明した方法で、夫々をボルトｂｔを用いて螺着する。この際、孔ｈ１１〜ｈ１８のサイズが揺動用リングＲ１、Ｒ２の他の孔と同一の場合には、ボルトｂｔは棒状部材を組付ける際に用いたボルトＢＴと同一のものを使用できる。
【００５９】
この際の螺着方法は以前に説明した図２２に示す丸ナットＲＮを用いる方式であり、揺動制限用ストッパＳＳ（図２４ｃ，図２４ｄ参照）の孔Ｓｈ３，Ｓｈ４は前述のように丸ナットＲＮの嵌設用の孔である。このようにして４個の揺動制限用ストッパＳＳを固着させることにより、乳幼児用組立用具Ｂの揺動は前後共に制限されるので、乳幼児用組立用具Ｂが大きくあるいは激しく揺動して転倒したり、あるいは大きく又は激しい動きに乳幼児ＢＢが気分を悪くする等の危険が未然に防止される。なお、さらに揺動を制限したい場合には、後方にのみ揺動停止用ストッパＬＳを用いることも可能である。この状態は、枠体Ｆの傾斜角度は異なるが、図１０ａ、図１０ｂに表示されているとおりである。この逆の、前方に揺動停止用ストッパＬＳを用い後方に揺動制限用ストッパＳＳを用いるという方法は推奨されない。
【００６０】
最後に揺動用リングＲ１、Ｒ２の下部Ｒ１１、Ｒ２１にテープＴの上層Ｔｂ（図２６ｂ参照）を貼着する。これで、図１〜図７に見るようなバウンサとしての様態を持つ実施例１の乳幼児用組立用具Ｂが完成する。なお、図８、図９には、枠体Ｆをさらに水平に近い角度に傾斜させた構成を示す。この場合には、図２０ａの揺動用リングＲ１の孔Ｈ１２Ｂと長尺捧状部材１１の孔１１ｃ２を、ボルトＢＴで螺着する。この際、ボルトＢＴはバウンサ用シート３１（図２７ｂ参照）のスリットｂｈ２を貫通させる。また、図２０ｂの揺動用リングＲ２の孔Ｈ２２Ｂと長尺捧状部材１２の孔１２ｃ２を、ボルトＢＴで螺着する。この際、ボルトＢＴはバウンサ用シート３１のスリットｂｈ４を貫通させる。
【００６１】
＜実施例１の作用＞
実施例１の乳幼児用組立用具Ｂは、図１に示すように、バウンサ用シート３１の段部３１ａと凹部３１ｂに乳幼児ＢＢを収容して使用する。この際、まず、押え布３２をバウンサ用シート３１に係止している２つの係止体ｓｔ１、ｓｔ２のうちいずれか１つあるいは両方を外し、乳幼児ＢＢを段部３１ａに座らせるかたちで３１ｂに収容し、しかるのちに係止体ｓｔ１、ｓｔ２の係止状態を元に戻す。これにより、乳幼児ＢＢは乳幼児用組立用具Ｂをバウンサとして使えるようになる。また、枠体Ｆをより傾斜させた図８、図９に示す用法も可能である。この場合には、揺動用リングＲ１の孔Ｈ１２Ｂ、バウンサ用シートの挿通部３１ｅのスリットｂｈ２、枠体Ｆの長尺棒状部材１１の孔１１ｃ２にボルトＢＴを挿通し、揺動用リングＲ１の孔Ｈ２２Ｂ、バウンサ用シート３１の挿通部３１ｆのスリットｂｈ４、枠体Ｆの長尺棒状部材１２の孔１２ｃ２にボルトＢＴを挿通し、枠体Ｆを揺動用リングＲ１、Ｒ２に固着する。これにより、枠体Ｆと枠体Ｆに張設されたバウンサ用シート３１の角度はより水平に近くなる。
【実施例２】
【００６２】
＜実施例２の構成＞
本発明の実施例２の乳幼児用組立用具Ｓは、スウィングラックとしての機能を有する様態として組立てられるものであり、図２０に示す一対の揺動用リングＲ１、Ｒ２と図２１ａに示す長尺棒状部材１１、図２１ｃ、図２１ｄに示す長尺棒状部材１３、１４、図２８に示すラックカウチ兼用シート４、図２４ｃ、図２４ｄに示す揺動制限用ストッパＳＳ（４個）、図２６ｂに示すテープＴ（２本）、図２９に示すガード用シート５１、５２を主たる構成部品として構成されている。適応年令と体重は、新生児〜５ヶ月、体重１０ｋｇ程度までである。
【００６３】
揺動用リングＲ１、Ｒ２、長尺棒状部材１１、揺動制限用ストッパＳＳ、テープＴについてはすでに説明済みなので、以下には長尺棒状部材１３、１４とラックカウチ兼用シート４について説明する。
【００６４】
長尺棒状部材１３、１４は図２１ｃ、図２１ｄに示すように円柱形状で、材質は長尺棒状部材１１と同様であり、長さは長尺棒状部材１１と同一であるが、直径は長尺棒状部材１１よりやや大である。例えば、長尺棒状部材１１の直径を２４ｍｍとした場合、長尺棒状部材１３、１４の直径は３０ｍｍ程度の数値を選択することができる。これは、乳幼児用組立用具Ｓとして構成される場合には、ラックカウチ兼用シート４が受ける乳幼児ＢＢの体重を全て長尺棒状部材１３、１４にて支える必要があり、長尺棒状部材１３、１４の材質を木製とした場合には、やはり３０ｍｍ程度の直径が必要であるという試作品のテスト結果によるものである。
【００６５】
長尺棒状部材１３の右端部には孔１３ａが長手方向に穿設され、これに直交するように孔１３ｃが径方向に穿設されている。図２１ｆに示すように、孔１３ｃは貫設されていない。左端部には孔１３ｂが長手方向に穿設され、これに直交するように孔１３ｄが径方向に穿設されている。孔１３ｄも貫設されていない。また、孔１３ｃ、１３ｄは孔１３ａ、１３ｂよりやや直径が大に構成されている。孔１３ｃ、１３ｄは前述の丸ナットＲＮを嵌設させるための孔である。
【００６６】
長尺棒状部材１４の右端部には孔１４ａが長手方向に穿設され、これに直交するように孔１４ｃが径方向に穿設されている。孔１３ｃ同様、孔１４ｃは貫設されていない。左端部には孔１４ｂが長手方向に穿設され、これに直交するように孔１４ｄが径方向に穿設されている。孔１４ｄも貫設されていない。また、孔１４ｃ、１４ｄは孔１４ａ、１４ｂよりやや直径が大に構成されている。孔１４ｃ、１４ｄは前述の丸ナットＲＮを嵌設させるための孔である。
【００６７】
ラックカウチ兼用シート４は図２８ａに示すように本体４ａが長方形状で、前端部には逢着線ｓｗによって筒状部４ｂが形成され、後端部には逢着線ｓｗ、ｓｗ、ｓｗによって筒状部４ｃ、４ｄ、４ｅが形成されている。筒状部４ｂ、４ｃ、４ｅは同一幅であるが、筒状部４ｄはやや幅が狭く構成されている。また、本体４ａの横幅ＷＳは長尺棒状部材１３、１４の長さに略等しい。ラックカウチ兼用シート４は、丈夫なキャンバス地の布などで形成されるのが相応しい。
【００６８】
ラックカウチ兼用シート４の裏面には、図２８ｂに示すように、筒状部４ｂの逢着線ｓｗの上に逢着された伸び止めテープｔ１の右端と左端に夫々２個ずつループＲが逢着されている。また、筒状部４ｃと筒状部４ｄを分ける逢着線ｓｗの右端と左端に夫々２個ずつループＲが逢着されている。なお、ｔ２も伸び止めテープである。
【００６９】
次に、ガード用シート５１、５２の構成を説明する。ガード用シート５１は、図２９ａに見るように略長方形状の基部５１ａに一体として連続する三角部５１ｂ、５１ｃ、三角部５１ｂ、５１ｃの上方にさらに延伸された頂部５１ｄ、５１ｅよりなり、基部５１ａの左方には紐ＳＲ、ＳＲが逢着され、基部５１ａの右方にも紐ＳＲ、ＳＲが逢着されている。
【００７０】
ガード用シート５２は、ガード用シート５１と同形で、図２９ｂに見るように略長方形状の基部５２ａに一体として連続する三角部５２ｂ、５２ｃ、三角部５２ｂ、５２ｃの上方にさらに延伸された頂部５２ｄ、５２ｅよりなり、基部５２ａの左方には紐ＳＲ、ＳＲが逢着され、基部５２ａの右方にも紐ＳＲ、ＳＲが逢着されている。
【００７１】
実施例２の乳幼児用組立用具Ｓの組付構成を述べる（参考図として図１１〜図１５）。まず、長尺棒状部材１３をラックカウチ兼用シート４の筒状部４ｂに挿通させ、長尺棒状部材１４をラックカウチ兼用シート４の筒状部４ｃに挿通させ、図２０ａの揺動用リングＲ１の孔Ｈ１３Ａと長尺棒状部材１３の孔１３ａをボルトＢＴで螺着し、孔Ｈ１４と長尺棒状部材１４の孔１４ａをボルトＢＴで螺着し、図２０ｂの揺動用リングＲ２の孔Ｈ２３Ａと長尺棒状部材１３の孔１３ｂをボルトＢＴで螺着し、孔Ｈ２４と長尺棒状部材１４の孔１４ｂをボルトＢＴで螺着する。
【００７２】
次に、揺動用リングＲ１の孔Ｈ１１Ａと長尺棒状部材１１の孔１１ａをボルトＢＴで螺着し、揺動用リングＲ２の孔Ｈ２１Ａと長尺棒状部材１１の孔１１ｂをボルトＢＴで螺着する。
【００７３】
次に、揺動用リングＲ１、Ｒ２に揺動制限用ストッパＳＳ、ＳＳ、……とテープＴ、Ｔを装着する。揺動制限用ストッパＳＳ及びテープＴ、Ｔの装着方法は実施例１と同じである。なお、揺動制限用ストッパＳＳに換えて適宜揺動停止用ストッパＬＳを用いるのは自由である。
【００７４】
これで、図１１〜図１５に見るようなスウィングラックとしての様態を持つ実施例２の乳幼児用組立用具Ｓが完成する。ラックカウチ兼用シート４は、長尺棒状部材１３と長尺棒状部材１４の間に中央部分が下方に弛みを持つ形で張設されることとなる。また、長尺棒状部材１１は下方における補強の役割を果たす。
【００７５】
実施例２の乳幼児用組立用具Ｓは、図１１ａ、図１２ａ、図１３、図１４に示す状態にては、ガード用シート５１、５２が省略されているが、これは構成をわかりやすく図示するために省いたものであって、実際の使用にあたっては必ずガード用シート５１、５２を装着して用いる。ガード用シート５１、５２の役割は乳幼児が揺動用リングＲ１、Ｒ２の空間Ｓ１、Ｓ２から落下する危険の防止である。
【００７６】
ガード用シート５１、５２の装着方法は以下に示すとおりである（図３０参照）。まず、ラックカウチ兼用シート４を裏返して、ラックカウチ兼用シート４の右端にガード用シート５１を装着する。この際、図３０ａに示すように、ガード用シート５１の基部５１ａの一端の紐ＳＲ，ＳＲを夫々ラックカウチ兼用シート４の右端前方に逢着されているループＲ、Ｒに結ぶ。また、基部５１ａの他端の紐ＳＲ，ＳＲを夫々ラックカウチ兼用シート４の右端後方に逢着されているループＲ、Ｒに結ぶ。
【００７７】
次に、ラックカウチ兼用シート４の左端にガード用シート５２を装着する。この際、図３０ｂに示すように、ガード用シート５２の基部５２ａの一端の紐ＳＲ，ＳＲを夫々ラックカウチ兼用シート４の左端前方に逢着されているループＲ、Ｒに結ぶ。また、基部５２ａの他端の紐ＳＲ，ＳＲを夫々ラックカウチ兼用シート４の左端後方に逢着されているループＲ、Ｒに結ぶ。
【００７８】
次に、前述のようにラックカウチ兼用シート４の筒状部４ｂに長尺棒状部材１３を、筒状部４ｃに長尺棒状部材１４を挿通し、揺動用リングＲ１、Ｒ２を組付ける。さらに、ガード用シート５１の三角部５１ｂ、５１ｃを上に起こして頂部５１ｄ、５１ｅを揺動用リングＲ１の上部Ｒ１２の中央に結ぶ。次に、ガード用シート５２の三角部５２ｂ、５２ｃを上に起こして頂部５２ｄ、５２ｅを揺動用リングＲ２の上部Ｒ２２の中央に結ぶ。これにより実施例２の乳幼児用組立用具Ｓは、図１５に示すようにガード用シート５１、５２が装着された状態となる。
【００７９】
＜実施例２の作用＞
実施例２の乳幼児用組立用具Ｓは、ラックカウチ兼用シート４に乳幼児（図示せず）を寝かせて使用する。この際、必ずガード用シート５１、５２を装着して乳幼児を落下の危険から保護する。ガード用シート５１、５２は、必ず両方とも装着する必要があり、乳幼児の頭部が来る方向に一箇所だけどちらかを装着するという方法は推奨されない。
【実施例３】
【００８０】
＜実施例３の構成＞
本発明の実施例３の乳幼児用組立用具Ｃは、カウチとしての機能を有する様態として組立てられるものであり、図２０に示す一対の揺動用リングＲ１、Ｒ２と図２１ａ〜図２１ｄに示す長尺棒状部材１１、１２、１３、１４、図２８に示すラックカウチ兼用シート４、図２４ａ、図２４ｂに示す揺動停止用ストッパＬＳ（４個）、図２６ｂに示すテープＴ（２本）を主たる構成部品として構成されている。適応年令と体重は、２才〜５才、体重２０ｋｇ程度までである。
【００８１】
各部材の説明は終わっているので、以下には実施例３の乳幼児用組立用具Ｃの組付構成を述べる（参考図として図１６、図１７参照）。まず、長尺棒状部材１３をラックカウチ兼用シート４の筒状部４ｂに挿通させ、長尺棒状部材１４をラックカウチ兼用シート４の筒状部４ｅに挿通させ、図２０ａの揺動用リングＲ１の孔Ｈ１３Ｂと長尺棒状部材１３の孔１３ａをボルトＢＴで螺着し、孔Ｈ１２Ｂと長尺棒状部材１４の孔１４ａをボルトＢＴで螺着し、図２０ｂの揺動用リングＲ２の孔Ｈ２３Ｂと長尺棒状部材１３の孔１３ｂをボルトＢＴで螺着し、孔Ｈ２２Ｂと長尺棒状部材１４の孔１４ｂをボルトＢＴで螺着する。そして、揺動用リングＲ１の孔Ｈ１１Ａと長尺棒状部材１１の孔１１ａをボルトＢＴで螺着し、揺動用リングＲ２の孔Ｈ２１Ａと長尺棒状部材１１の孔１１ｂをボルトＢＴで螺着し、揺動用リングＲ１の孔Ｈ１１Ｃと長尺棒状部材１２の孔１２ａをボルトＢＴで螺着し、揺動用リングＲ２の孔Ｈ２１Ｃと長尺棒状部材１２の孔１２ｂをボルトＢＴで螺着する。
【００８２】
最後に、揺動用リングＲ１、Ｒ２に揺動停止用ストッパＬＳ、ＬＳ、……とテープＴ、Ｔを装着する。揺動停止用ストッパＬＳは４個用意し、図２５ｂに示す方法にて装着する。また、テープＴ、Ｔの装着方法は実施例１と同じである。
【００８３】
これで、図１６、図１７、に見るようなカウチとしての様態を持つ実施例３の乳幼児用組立用具Ｃが完成する。ラックカウチ兼用シート４は、長尺棒状部材１３と長尺棒状部材１４の間に中央部分が下方に弛みを持つ形で張設されることとなる。なお、ラックカウチ兼用シート４の筒状部４ｃ、４ｄに長尺棒状部材１４が挿通されることはない。また、４個の揺動停止用ストッパＬＳは、上記の様に固着された場合に夫々のボール部材Ｑの最下点がテープＴを貼着された揺動用リングＲ１、Ｒ２の最下点と高さが一致するように構成されているので、実施例３の乳幼児用組立用具Ｃは安定的に床ＦＲに載置される。
【００８４】
＜実施例３の作用＞
実施例３の乳幼児用組立用具Ｃは、ラックカウチ兼用シート４に乳幼児（図示せず）を座らせて使用する。
【実施例４】
【００８５】
＜実施例４の構成＞
本発明の実施例４の乳幼児用組立用具Ｐは、ロッキングポニーとしての機能を有する様態として組立てられるものであり、図２０に示す一対の揺動用リングＲ１、Ｒ２と図２３ａ〜図２３ｄに示す短尺棒状部材２１〜２４、図３１に示すロッキングポニー用シート６、図２４ｃ、図２４ｄに示す揺動制限用ストッパＳＳ（４個）、図２６ｂに示すテープＴ（２本）を主たる構成部品として構成されている。適応年令と体重は、１．５才〜３才、体重１６ｋｇ程度までである。
【００８６】
ロッキングポニー用シート６の説明のみがまだなされていないので、以下にはロッキングポニー用シート６ついて説明する。ロッキングポニー用シート６は図３１に示すように本体６ａが長方形状で、前端部が筒状の挿通部６ｂとして、後端部も筒状の挿通部６ｃとして形成されている。また、ロッキングポニー用シート６の横幅ＷＰは短尺棒状部材２１〜２４の長さの２分の１〜４分の１程度である。ちなみに、図１９にては、横幅ＷＰは短尺棒状部材２１〜２４の長さの４割程度となっている。なお、ロッキングポニー用シート６は、丈夫なキャンバス地の布などで形成されるのが相応しい。
【００８７】
実施例４の乳幼児用組立用具Ｐの組付構成を述べる（参考図として図１８、図１９参照）。まず、短尺棒状部材２１をロッキングポニー用シート６の挿通部６ｂに挿通させ、短尺棒状部材２２をロッキングポニー用シート６の挿通部６ｃに挿通させ、図２０ａの揺動用リングＲ１の孔Ｈ１３Ａと短尺棒状部材２１の孔２１ａをボルトＢＴで螺着し、孔Ｈ１４と短尺棒状部材２２の孔２２ａをボルトＢＴで螺着し、図２０ｂの揺動用リングＲ２の孔Ｈ２３Ａと短尺棒状部材２１の孔２１ｂをボルトＢＴで螺着し、孔Ｈ２４と短尺棒状部材２２の孔２２ｂをボルトＢＴで螺着する。
【００８８】
次に、揺動用リングＲ１の孔Ｈ１２Ｂと短尺棒状部材２３の孔２３ａをボルトＢＴで螺着し、揺動用リングＲ２の孔Ｈ２２Ｂと短尺棒状部材２３の孔２３ｂをボルトＢＴで螺着する。また、揺動用リングＲ１の孔Ｈ１１Ｃと短尺棒状部材２４の孔２４ａをボルトＢＴで螺着し、揺動用リングＲ２の孔Ｈ２１Ｃと短尺棒状部材２４の孔２４ｂをボルトＢＴで螺着する。
【００８９】
最後に、揺動用リングＲ１、Ｒ２に揺動制限用ストッパＳＳ、ＳＳ、……とテープＴ、Ｔを装着する。揺動制限用ストッパＳＳは４個用意し、装着方法は図２５で説明したとおりである。なお、実施例４の乳幼児用組立用具Ｐにては、揺動停止用ストッパＬＳを使用することはない。また、テープＴ、Ｔの装着方法は実施例１と同じである。
【００９０】
これで、図１８、図１９に見るようなロッキングポニーとしての様態を持つ実施例４の乳幼児用組立用具Ｐが完成する。ロッキングポニー用シート６は、短尺棒状部材２１と短尺棒状部材２２の間に略緊張状態で張設されることとなる。また、図１８に見るように短尺棒状部材２３は使用状態において乳幼児ＢＢが掴まるハンドルの役割を果たし、短尺棒状部材２４は使用状態において乳幼児ＢＢが足を置くバーの役割を果たす。
【００９１】
＜実施例４の作用＞
実施例４の乳幼児用組立用具Ｐは、ロッキングポニー用シート６に乳幼児ＢＢを座らせて使用する（図１８）。この際、短尺棒状部材２１は乳幼児ＢＢの後方にくるので、実施例１とは異なり、乳幼児用組立用具Ｐの向きは逆となる。すなわち、ロッキングポニーとして用いた場合の乳幼児ＢＢにとっての前方は、短尺棒状部材２２、２３が渡設されている方ということになる。
【００９２】
図１８に明らかなように、乳幼児ＢＢは基本的に短尺棒状部材２３につかまり、短尺棒状部材２４に体重をかけて全体を揺らして遊ぶ。この際、乳幼児ＢＢの足が自由に動けるので、ロッキングポニー本来の遊び方が楽しめる。
【産業上の利用可能性】
【００９３】
本発明は、実際に乳幼児を育てている幾多の母親の要望をモニタして開発されたものであって、母親たちが最も必要としている乳幼児用用具であるバウンサ、スウィングラック、カウチ、ロッキングポニーの４種類の用具を、一対の揺動用リングを基本とし、これに複数の長短の棒状部材と３種のシートを組み合わせることにより、任意に組替え構成できるようにした、まさに母親たちが最も欲していた乳幼児用具として構成されている。
【００９４】
大きな特徴としては、第１に一対の揺動用リングの夫々が一部材から出来ているので、長期の使用に際しても複数部材をボルト等で組み合わせた場合のように変形や分解の怖れがなく安心して使用できることが挙げられる。また、第２の特徴としては、乳幼児の年令に合わせて組替えていけばかなりの年数の間使用し続けられ、経済的で合理的であるという点が大きな要素となる。したがって、乳児の誕生祝にもぴったりの品であるといえよう。
【００９５】
およその適応年令と体重を再掲すれば、スウィングラックとしての使用が０〜５ヶ月児（体重１０ｋｇ程度まで）、バウンサとしての使用が３ヶ月〜１．５才児（体重１２ｋｇ程度まで）、ロッキングポニーとしての使用が１．５才〜３才児（体重１６ｋｇ程度まで）、カウチとしての使用が２才〜５才児（体重２０ｋｇ程度まで）ということであり、誕生時から幼稚園くらいまで切れ目なく息長く使用できる乳幼児用具としての特徴を持っている。なお、組み替えも簡単で、母親たち自身によって短時間でできるという点も大きな特徴である。
【００９６】
多くの乳幼児用具は用途別に特化して、対象年齢を過ぎると使えなくなるが、本発明の乳幼児用具は、組替えによって乳幼児の成長に合わせて長期間使用できるものであり、低成長の時代にふさわしく、また、小子化時代に次の子への使いまわしということができなくなった現状にも良く適合し、産業上の利用可能性には今後とも大きなものがあると考えられるものである。
【符号の説明】
【００９７】
１１        長尺棒状部材
１１ａ      孔
１１ｂ      孔
１１ｃ１    孔
１１ｃ２    孔
１１ｄ      孔
１１ｅ      孔
１２        長尺棒状部材
１２ａ      孔
１２ｂ      孔
１２ｃ      孔
１２ｃ１    孔
１２ｃ２    孔
１２ｄ      孔
１２ｅ      孔
１３        長尺棒状部材
１３ａ      孔
１３ｂ      孔
１３ｃ      孔
１３ｄ      孔
１４        長尺棒状部材
１４ａ      孔
１４ｂ      孔
１４ｃ      孔
１４ｄ      孔
２１        短尺棒状部材
２１ａ      孔
２１ｂ      孔
２１ｃ      孔
２１ｄ      孔
２１ｅ      孔
２２        短尺棒状部材
２２ａ      孔
２２ｂ      孔
２２ｃ      孔
２２ｄ      孔
２２ｅ      孔
２３        短尺棒状部材
２３ａ      孔
２３ｂ      孔
２３ｃ      孔
２３ｄ      孔
２３ｅ      孔
２４        短尺棒状部材
２４ａ      孔
２４ｂ      孔
２４ｃ      孔
２４ｄ      孔
２４ｅ      孔
３１        バウンサ用シート
３１ａ      段部
３１ｂ      凹部
３１ｃ      挿通部
３１ｄ      挿通部
３１ｅ      挿通部
３１ｆ      挿通部
３２        押え布
３２ａ      逢着線
３２ｂ      ボタン孔
３２ｃ      ボタン孔
４          ラックカウチ兼用シート
４ａ        本体
４ｂ        筒状部
４ｃ        筒状部
４ｄ        筒状部
４ｅ        筒状部
５１        ガード用シート
５１ａ      基部
５１ｂ      三角部
５１ｃ      三角部
５１ｄ      頂部
５１ｅ      頂部
５２        ガード用シート
５２ａ      基部
５２ｂ      三角部
５２ｃ      三角部
５２ｄ      頂部
５２ｅ      頂部
６          ロッキングポニー用シート
６ａ        本体
６ｂ        挿通部
６ｃ        挿通部
Ｂ          乳幼児用組立用具
Ｃ          乳幼児用組立用具
ＢＢ        乳幼児
ＢＨ１      孔
ＢＨ２      孔
ＢＴ        ボルト
ＢＵ        捧体
Ｆ          枠体
Ｈ          平板
Ｈ１１Ａ    孔
Ｈ１１Ｂ    孔
Ｈ１１Ｃ    孔
Ｈ１２Ａ    孔
Ｈ１２Ｂ    孔
Ｈ１３Ａ    孔
Ｈ１３Ｂ    孔
Ｈ１４      孔
Ｈ２１Ａ    孔
Ｈ２１Ｂ    孔
Ｈ２１Ｃ    孔
Ｈ２２Ａ    孔
Ｈ２２Ｂ    孔
Ｈ２３Ａ    孔
Ｈ２３Ｂ    孔
Ｈ２４      孔
ＨＨ        円孔
ＬＳ        揺動停止用ストッパ
ＬＳａ      揺動停止用ストッパ
ＬＳｂ      揺動停止用ストッパ
ＮＨ        ネジ孔
ＯＮ        鬼目ナット
Ｐ          乳幼児用組立用具
Ｑ          ボール部材
Ｑｈ        孔
Ｒ          ループ
Ｒ１        揺動用リング
Ｒ１０      リング部
Ｒ１１      下部
Ｒ１２      上部
Ｒ１３      前部
Ｒ１４      後部
Ｒ２        揺動用リング
Ｒ２０      リング部
Ｒ２１      下部
Ｒ２２      上部
Ｒ２３      前部
Ｒ２４      後部
ＲＮ        丸ナット
Ｓ          乳幼児用組立用具
Ｓ１        空間
Ｓ２        空間
Ｓｈ１      孔
Ｓｈ２      孔
Ｓｈ３      孔
Ｓｈ４      孔
ＳＰ        スペーサ
ＳＰｈ      貫通孔
ＳＲ        紐
ＳＳ        揺動制限用ストッパ
ＳＳａ      揺動制限用ストッパ
ＳＳｂ      揺動制限用ストッパ
Ｔ          テープ
Ｔａ        下層
Ｔｂ          上層
ＷＰ        横幅
ＷＳ        横幅
ｂｈ１      スリット
ｂｈ２      スリット
ｂｈ３      スリット
ｂｈ４      スリット
ｂｔ        ボルト
ｈ１１      孔
ｈ１２      孔
ｈ１３      孔
ｈ１４      孔
ｈ１５      孔
ｈ１６      孔
ｈ１７      孔
ｈ１８      孔
ｈ２１      孔
ｈ２２      孔
ｈ２３      孔
ｈ２４      孔
ｈ２５      孔
ｈ２６      孔
ｈ２７      孔
ｈ２８      孔
ｓｔ１      係止体
ｓｔ２      係止体
ｓｗ        逢着線
ｔ１        伸び止めテープ
ｔ２        伸び止めテープ
【要約】【課題】シンプルな構成で、バウンサを始めとする多様な乳幼児用用具を簡単に組立てられ、揺動部分は強度及び耐久性を確保するため一部材で構成し、乳児から幼児になっても使い続けられる乳幼児用組立用具を開発する。
【解決手段】一対の揺動用リングに、バウンサ用シートを張設した枠体を固着してバウンサとし、ラックカウチ兼用シートを張設した棒状部材を固着してスウィングラック又はカウチとし、ロッキングポニー用シートを張設した棒状部材を固着してロッキングポニーとする乳幼児用組立用具を提供する。
【選択図】        図１【図１】
0004793833.tif 000002
【図２】
0004793833.tif 000003
【図３】
0004793833.tif 000004
【図４】
0004793833.tif 000005
【図５】
0004793833.tif 000006
【図６】
0004793833.tif 000007
【図７】
0004793833.tif 000008
【図８】
0004793833.tif 000009
【図９】
0004793833.tif 000010
【図１０】
0004793833.tif 000011
【図１１】
0004793833.tif 000012
【図１２】
0004793833.tif 000013
【図１３】
0004793833.tif 000014
【図１４】
0004793833.tif 000015
【図１５】
0004793833.tif 000016
【図１６】
0004793833.tif 000017
【図１７】
0004793833.tif 000018
【図１８】
0004793833.tif 000019
【図１９】
0004793833.tif 000020
【図２０】
0004793833.tif 000021
【図２１】
0004793833.tif 000022
【図２２】
0004793833.tif 000023
【図２３】
0004793833.tif 000024
【図２４】
0004793833.tif 000025
【図２５】
0004793833.tif 000026
【図２６】
0004793833.tif 000027
【図２７】
0004793833.tif 000028
【図２８】
0004793833.tif 000029
【図２９】
0004793833.tif 000030
【図３０】
0004793833.tif 000031
【図３１】
0004793833.tif 000032